(57)【特許請求の範囲】
【請求項１】
略円筒形からなるコードリールを、その円筒の中心軸が電気掃除機の進行方向と直交するように搭載したコードリール室と、前記コードリール室側方に配置され本体の両側面に突出して設けられた車輪軸と、前記車輪軸に回転自在に保持される本体走行用の車輪とを備え、前記車輪軸の少なくとも一方の内方に隙間用吸込具を着脱自在に収納する収納部を配し、前記収納部を、前記コードリール室前部壁面とコードリールとがコードリール前方下部に形成する角部空間に突出させて、前記隙間用吸込具を、その長手方向が電気掃除機本体の前後方向と直交する方向に配置した電気掃除機。
【発明の詳細な説明】
【０００１】
【発明の属する技術分野】
本発明は、電気掃除機本体に付属品を収納する電気掃除機に関するものである。
【０００２】
【従来の技術】
従来の電気掃除機の構成を図６を用いて説明する。図に示すように、本体１を下部本体２と上部本体２ａとで構成し、上本体２ａの後方上部に収納部３を構成し、この収納部３内に付属品である隙間用吸込具４、棚用吸込具５等を収納し、この収納部３の上方を収納蓋６にて開閉自在に覆うようにしたものが一般的であった。
【０００３】
【発明が解決しようとする課題】
従来の電気掃除機にあっては、付属品の吸込具４を電気掃除機本体１に収納するために上部本体２ａの上部に収納部３を設けるものが一般的であり、前記収納部３の容積を確保するため電気掃除機本体１の高さを高くしたり、上面に収納するため、外観上、収納部３を覆う収納蓋６を設ける必要があり、電気掃除機が大型化したり重くする等の問題があった。
【０００４】
本発明は、以上のような従来の課題を解決しようとするもので、電気掃除機本体に付属品を収納しても小型軽量の電気掃除機を提供することを目的とするものである。
【０００５】
【課題を解決するための手段】
上記目的を達成するために本発明は、略円筒形からなるコードリールを、その円筒の中心軸が電気掃除機の進行方向と直交するように搭載したコードリール室と、前記コードリール室側方に配置され本体の両側面に突出して設けられた車輪軸と、前記車輪軸に回転自在に保持される本体走行用の車輪とを備え、前記車輪軸の少なくとも一方の内方に隙間用吸込具を着脱自在に収納する収納部を配し、前記収納部を、前記コードリール室前部壁面とコードリールとがコードリール前方下部に形成する角部空間に突出させて、前記隙間用吸込具を、その長手方向が電気掃除機本体の前後方向と直交する方向に配置したことにより、掃除機本体上部に吸込具の収納部を設けることなく吸込具の収納を行なえるものである。
【０００６】
【発明の実施の形態】
本発明の請求項１記載の発明は、略円筒形からなるコードリールを、その円筒の中心軸が電気掃除機の進行方向と直交するように搭載したコードリール室と、前記コードリール室側方に配置され本体の両側面に突出して設けられた車輪軸と、前記車輪軸に回転自在に保持される本体走行用の車輪とを備え、前記車輪軸の少なくとも一方の内方に隙間用吸込具を着脱自在に収納する収納部を配し、前記収納部を、前記コードリール室前部壁面とコードリールとがコードリール前方下部に形成する角部空間に突出させて、前記隙間用吸込具を、その長手方向が電気掃除機本体の前後方向と直交する方向に配置したことにより、本体の幅方向を長くすることなく隙間用吸込具の収納ができるものである。
【０００７】
【実施例】
（参考例１）
以下、本発明の第１の参考例を、図１、２を用いて説明する。
【０００８】
図１において、１０は前部に塵埃集塵用の集塵室１１を、後部に塵埃吸引用のモーター室１２及び電源供給用のコードリール室１３を配置した下部本体であり、前記下本体１０の前部はダスト蓋１４で開閉自在に覆われており、下部本体１０の後部は上部本体１５で覆われている。下部本体１０の後部底面には移動用小車輪１６が回転自在に配置されている。
【０００９】
また、前記下部本体１０の両側面には図２に示すように、側壁１７に直交するように円筒状の車輪軸１８を形成し、前記車輪軸１８の外周に回転自在に車輪１９が配置されている。また、モーター室１２内には吸引用のモーター２７が配され、コードリール室１３内にはコードリール装置３７が配されている。
【００１０】
また、前記車輪軸１８の内周部２０には図１及び２に示すように、付属品の一種である隙間用吸込具２１を収納する収納部２２が設けられ、前記収納部２２には隙間用吸込具２１を係止するため、支持リブ３６を設けている。また、収納部２２以外の内周部２０は車輪軸１８を覆うように蓋体２３にて覆われており、前記蓋体２３と一体的に設けられた複数の爪体２４により、車輪軸１８の内側面と係合し固定されている。
【００１１】
上記構成による作用は以下の通りである。すなわち、下部本体１０に回転自在に係合した車輪１９の中央部空間に隙間用吸込具２１を収納することにより、上部本体１５に隙間用吸込具２１を収納する収納部等のスペースを確保する必要がなく、また上部本体１５の上面に収納部を設けないため隙間用吸込具２１が露出しても外観に支障のないものであり、小型化ができるものである。さらに、収納部２２は回転を行わない車輪軸１８内に設けているので、車輪１９の回転と共に収納部２２が回転することを防止でき、収納部２２内の隙間用吸込具２１に回転力が作用して収納部２２から脱落しやすくなることも防止できる。さらに、掃除機本体の移動による振動が収納部２２に伝わるが、支持リブ３６を設け
ているので、隙間用吸込具２１が脱落するのを防止することができる。
【００１２】
さらに、前記収納部２２の開口部を覆うカバー体を設けても掃除機本体の高さに影響するものではない。なお、収納部２２には隙間用吸込具２１を収納したが、棚ノズルなども収納するように収納部を形成すればよく、要は電気掃除機の付属品を収納するものであればよい。
【００１３】
（参考例２）
次に本発明の第２の参考例を図３を用いて説明する。なお上記第１の参考例と同一構成部品については同一符号を付して、その説明を省略する。
【００１４】
収納部２５を車輪軸１８の内周部２０を覆う蓋体２３に一体的に構成したもので、上記構成による作用は以下の通りである。すなわち、車輪軸１８を覆う蓋体２３に収納部２５を一体的に設けることにより、下本体１０やこれと一体的に構成した車輪軸１８を改造することなしに、蓋体２３を替えることにより異なる形状の隙間用吸込具２１等の付属品を収納できるものである。
【００１５】
（参考例３）
次に本発明の第３の参考例を図４を用いて説明する。なお上記参考例と同一構成部品については同一符号を付して、その説明を省略する。
【００１６】
蓋体２３と一体的に形成した収納部２６を、側壁１７と塵埃吸引用のモーター２７にて形成される上部角部空間（斜線部）または下部角部空間（斜線部）に突出するように配置されている。
【００１７】
上記構成による作用は以下の通りである。すなわち、モーター２７は円柱形状をしており、このモータ２７を配置することで生じる、モーター室１２内の空き空間、すなわち上部角部空間（斜線部）または下部角部空間（斜線部）を収納部２６の一部とすることにより下部本体１０の幅方向の寸法を大きくすることなく隙間用吸込具２１などの付属品を収納できるものである。
【００１８】
（参考例４）
次に本発明の第４の参考例を図５を用いて説明する。なお上記参考例と同一構成部品については同一符号を付して、その説明を省略する。
【００１９】
図５において、下部本体１０の側壁１７に径小の車輪軸３７を形成し、その車輪軸３７の外周に側面を下本体１０側にくぼませた車輪３３を回転自在に取り付け、前記車輪３３を外側より押さえ、車輪軸３７から車輪３３が外れるのを防止する蓋体３４を設け、この蓋体３４は、車輪軸３７の内周側に位置し、下部本体１０の側壁１７から突出形成したボス３８にネジ３６により固定されている。さらに、蓋体３４には車輪３３のくぼみに合わせて一体的に収納部３５を設けたものである。
【００２０】
上記構成による作用は以下の通りである。すなわち、下部本体１０に回転自在に係合した車輪３３のくぼみに隙間用吸込具２１を収納することにより、上部本体１５に収納部等のスペースを確保する必要がなく、また上部本体１５の上面に収納部２２を設けないため隙間用吸込具２１が露出しても外観に支障のないものであり、小型化ができるものである。さらに、前記収納部２２を覆うカバーを設けても前述の本体１０の高さに影響するものではないものである。
【００２１】
（実施例１）
次に本発明の第１の実施例を図６を用いて説明する。なお上記参考例と同一構成部品については同一符号を付して、その説明を省略する。
【００２２】
図６において、下部本体１０に構成した車輪軸１８をコードリール室２８側方に配置し、コードリール２９を電気掃除機の進行方向に平行に搭載するとともに、前記車輪軸１８は上方に略垂直に設けたコードリール室側壁３０に一体的に構成し、前記車輪軸１８内周の隙間用吸込具２１の収納部３１をコードリール室２８前部壁面３２と略円筒形からなるコードリール２９の前方下部の角部空間に突出させている。そして、隙間用吸込具２１の長手方向が電気掃除機本体の前後方向と直交する方向に配置したものである。
【００２３】
上記構成による作用は以下の通りである。すなわち、円筒形状のコードリール室２８の前部下部に形成される不必要な空間を有効利用できるとともに、下部本体１０の長手方向を長くすることなく収納部を確保できるものである。
【００２４】
【発明の効果】
本発明によれば、収納部をコードリール室側に突出させているので、本体の幅方向を長くすることなく付属品の収納ができるものである。また、付属品の長手方向が電気掃除機の前後方向と直交する方向に挿入収納することで、より本体の幅方向を長くとる必要がなくなる。
【図面の簡単な説明】
【図１】  本発明の第１の参考例を示した電気掃除機の側面図
【図２】  同電気掃除機の横断面図
【図３】  本発明の第２の参考例を示した電気掃除機の要部横断面図
【図４】  本発明の第３の参考例を示した電気掃除機の要部横断面図
【図５】  本発明の第４の参考例を示した電気掃除機の要部横断面図
【図６】  本発明の第１の実施例を示した電気掃除機の側面図
【図７】  従来の電気掃除機を示した斜視図
【符号の説明】
１０  下部本体
１５  上部本体
１８  車輪軸
１９  車輪
２１  隙間用吸込具
２２  収納部
２３  蓋体
２５  収納部
２６  収納部
２７  モーター
２８  コードリール室
３１  収納部
３３  車輪
３４  蓋体
３５  収納部
【図１】
0004224874.tif 000002
【図２】
0004224874.tif 000003
【図３】
0004224874.tif 000004
【図４】
0004224874.tif 000005
【図５】
0004224874.tif 000006
【図６】
0004224874.tif 000007
【図７】
0004224874.tif 000008